(57)【要約】  本発明による葉タバコ農産物乾燥機の排風熱回収装置は、熱交換手段は排風口（１４０）の側方に連通されるように設けられる回収ダクト（３３０）と、前記回収ダクト（３３０）と排風口（１４０）との間に回転可能に設けられてモーター（３２０）の正逆回転によって回収ダクト（３３０）と排風口（１４０）を選択的に開閉させるダンパ（３１０）と、前記排風口（１４０）を通じて排出される排出空気の熱を回収するように回収ダクト（３３０）の内部に配置され、内部に熱伝逹媒体が循環する排風熱交換機（２２０）と、前記排風熱交換機（２２０）と配管で連結されて、ポンプ（２５０）によって循環する熱伝逹媒体を通じて吸入口（１３０）に吸入される空気を暖める吸入熱交換機（２１０）と、前記乾燥室（１２０）の温度及び湿度を測定する温度センサー（４１０）と湿度センサー（４２０）の測定値を受信して葉タバコ農産物乾燥機の作動を制御する制御信号を出力する制御部（４５０）とを含んで構成され、前記排風口（１４０）の内部には制御部（４５０）の制御信号によって駆動される駆動モーター（５２０）の駆動時に乾燥室（１２０）内の内部空気を吸入して送風するための排出ファン（５１０）が備えられたことを特徴とする。
2016532847.tif 000002
【特許請求の範囲】
【請求項１】
葉タバコ農産物乾燥機（１００）の燃焼室（１１０）に空気を吸入するための吸入口（１３０）と、前記吸入口（１３０）を通じて流入された空気をバーナー（５０）またはヒーターで加熱する燃焼室（１１０）と、前記燃焼室（１１０）から移送された加熱された空気で葉タバコを乾燥する乾燥室（１２０）と、前記乾燥室（１２０）内の加熱された空気を外部に排出させるダクト形態の排風口（１４０）と、前記排風口（１４０）を通じて排出される排出空気の熱を吸収して吸入口（１３０）側に伝達する熱交換手段とを含む葉タバコ農産物乾燥機の排風熱回収装置において、
前記熱交換手段は、
排風口（１４０）の側方に連通されるように設けられる回収ダクト（３３０）と、
前記回収ダクト（３３０）と排風口（１４０）との間に回転可能に設けられ、モーター（３２０）の正逆回転によって回収ダクト（３３０）と排風口（１４０）を選択的に開閉させるダンパ（３１０）と、
前記排風口（１４０）を通じて排出される排出空気の熱を回収するように回収ダクト（３３０）の内部に配置され、内部に熱伝逹媒体が循環する排風熱交換機（２２０）と、
前記排風熱交換機（２２０）と配管で連結され、ポンプ（２５０）によって循環する熱伝逹媒体を通じて吸入口（１３０）に吸入される空気を暖める吸入熱交換機（２１０）と、
前記乾燥室（１２０）の温度及び湿度を測定する温度センサー（４１０）と湿度センサー（４２０）の測定値を受信して葉タバコ農産物乾燥機の作動を制御する制御信号を出力する制御部（４５０）とを含んで構成され、
前記排風口（１４０）の内部には、制御部（４５０）の制御信号によって駆動される駆動モーター（５２０）の駆動時に乾燥室（１２０）の内部空気を吸入して送風するための排出ファン（５１０）が備えられることを特徴とする葉タバコ農産物乾燥機の排風熱回収装置。
【請求項２】
前記制御部（４５０）は温度センサー（４１０）と湿度センサー（４２０）から乾燥室の（１２０）の温度及び湿度の測定値を受信すれば、受信された温度及び湿度の測定値を既設定された乾燥基準値と比較して前記乾燥室（１２０）の温度と湿度を調節するように既設定された温度と湿度条件及び乾燥時間によってダンパ（３１０）の回転方向を調節するモーター（３２０）に制御信号を出力するように構成されることを特徴とする請求項１に記載の葉タバコ農産物乾燥機の排風熱回収装置。
【請求項３】
前記制御部（４５０）は温度センサー（４１０）と湿度センサー（４２０）から乾燥室の（１２０）の温度及び湿度の測定値を受信すれば、受信された温度及び湿度の測定値を既設定された葉タバコの種類及び部位別乾燥基準値と比較して前記乾燥室（１２０）の温度と湿度を調節するように既設定された温度及び湿度条件と乾燥時間によってダンパ（３１０）の回転方向を調節するモーター（３２０）に制御信号を出力するように構成されたことを特徴とする請求項１に記載の葉タバコ農産物乾燥機の排風熱回収装置。
【請求項４】
前記制御部（４５０）は乾燥室（１２０）内の温度を３０〜９０℃の範囲に保持するように制御することを特徴とする請求項３に記載の葉タバコ農産物乾燥機の排風熱回収装置。
【請求項５】
前記回収ダクト（３３０）は制御部（４５０）の制御信号によって駆動される送風モーター（５６０）と、前記送風モーター（５６０）の駆動時に回収ダクト（３３０）内の空気を吸入して乾燥室（１２０）内に送風するための送風ファン（５５０）をさらに備えることを特徴とする請求項１に記載の葉タバコ農産物乾燥機の排風熱回収装置。
【請求項６】
前記排風熱交換機（２２０）と吸入熱交換機（２１０）はチューブ型熱交換機、板型熱交換機、ヒートパイプの中の一つを採用したことを特徴とする請求項１に記載の葉タバコ農産物乾燥機の排風熱回収装置。
【請求項７】
前記吸入口（１３０）は前記吸入熱交換機が配置された第１吸入口（１３０Ａ）と前記第１吸入口（１３０Ａ）と隔壁で区画される第２吸入口（１３０Ｂ）とに仕分けら、前記第１吸入口（１３０Ａ）及び第２吸入口（１３０Ｂ）を区分する隔壁に回動可能に配置されて前記第１吸入口（１３０Ａ）及び第２吸入口（１３０Ｂ）の中の一つを開閉させる開閉ダンパ（６００）と、前記開閉ダンパ（６００）を回転させる回動モーター（６５０）とをさらに備えることを特徴とする請求項１に記載の葉タバコ農産物乾燥機の排風熱回収装置。
【発明の詳細な説明】
【技術分野】
【０００１】
本発明は葉タバコ農産物乾燥機の排風熱回収装置に関するもので、特に、葉タバコなどのような煙草作物の乾燥時に用いられる葉タバコ乾燥機の排風熱をダンパの回転方向によって選択的に回収してエネルギーを節減し、且つ、葉タバコの乾燥に適する温度と湿度を容易に調節することができるようにその構造が改善された葉タバコ農産物乾燥機の排風熱回収装置に関するものである。
【背景技術】
【０００２】
一般に、唐辛子や、穀類、豆類などの各種農産物に高温の熱風を供給して農産物の乾燥を行う農業用乾燥機は、農産物の収容空間を提供する乾燥炉と、上記乾燥炉に電熱または燃焼作用を通じて生成された熱気を供給する熱風器を含んで構成され、上記乾燥炉には吸気口と排気口が設けられて、乾燥炉の適正な湿度が保持されるように構成している。
【０００３】
一般に、農産物の乾燥過程は、最初に吸気口を閉鎖して乾燥炉への外部空気の流入を遮断した状態で、熱風器が高温の熱風を乾燥炉に供給して乾燥炉に収容された農産物を一定時間加温した後、吸気口を開放して湿分を排出する過程を繰り返して農産物を乾燥する過程からなる。
【０００４】
農産物の乾燥過程は吸気口の閉鎖と開放が順次に行われ、従来は上記吸気口に手操作により開閉を行う吸気装置が設けられていた。
【０００５】
従来の農業用乾燥機に係わる先行技術として、韓国登録実用新案登録番号第２０−０４５５０８７号の「農業用乾燥機の吸気装置」（登録日：２０１１．０８．０９）公報に記載されたように、各種農産物を短時間に乾燥する農業用乾燥機の吸気口に設置されてコントローラの制御によって上記吸気口の開閉量と開閉有無を制御して農産物の乾燥に要求される適正な乾燥環境を乾燥炉に造成するように構成したものがある。
【０００６】
従来の農産物乾燥機の他の先行技術としては、韓国登録特許登録番号第１０−０４５８００５号の「葉タバコ農産物乾燥機の排風熱回収装置」（登録日：２００４．１１．１１）公報に記載されたように、農産物乾燥機が農産物を乾燥する時、排風口を通じて排出される熱を乾燥室の吸入口に再投入するために分離型ピンチューブ方式の熱交換機を用いて密閉されたチューブ内に熱媒体油を入れ、循環ポンプによって循環するように構成することで、上記排風口を通じて捨てられる熱を最大限に利用して乾燥時間を短縮し、消費される燃料量を節減することができるようにしたものがある。
【０００７】
ところが、従来の農産物乾燥機は温度と湿度の調節が敏感でない農産物の乾燥時に乾燥時間を短縮することができる機能があるが、葉タバコの場合には種類及び収獲部位によって多様な乾燥環境が要求され、温度及び湿度が調節されない場合、葉タバコが腐るか乾燥されないという短所がある。
【０００８】
また、従来の農産物乾燥機は排風熱の回収のための回収設備の構成が複雑であり、また排風口を通過する排風空気の熱を常に回収して温度の調節及び湿度の調節が困難である短所がある。
【発明の開示】
【発明が解決しようとする課題】
【０００９】
本発明は上述した諸問題点に鑑みて創出されたもので、その目的は、単純な構造で構成され、排風口を通過する排出空気の熱回収作業を選択的に行うことができ、また、乾燥機の温度及び湿度を容易に調節することができるようにその構造が改善された葉タバコ農産物乾燥機の排風熱回収装置を提供することにある。
【課題を解決するための手段】
【００１０】
上述した目的を達するための本発明は、葉タバコ農産物乾燥機の燃焼室に空気を吸入するための吸入口と、上記吸入口を通じて流入された空気をバーナーまたはヒーターで加熱する燃焼室と、上記燃焼室から移送された加熱された空気で葉タバコを乾燥する乾燥室と、上記乾燥室内の加熱された空気を外部に排出するダクト形態の排風口と、上記排風口を通じて排出される排出空気の熱を吸収して吸入口側に伝達する熱交換手段とを備え、
上記熱交換手段は、上記排風口の側方に連通されるように設けられる回収ダクトと、上記回収ダクトと上記排風口との間に回転可能に設けられ、モーターの正逆回転により上記回収ダクトと排風口を選択的に開閉させるダンパと、上記排風口を通じて排出される排出空気の熱を回収するように回収ダクトの内部に配置され、内部に熱伝逹媒体が循環する排風熱交換機と、上記排風熱交換機と配管で連結され、ポンプによって循環する上記熱伝逹媒体を通じて上記吸入口に吸入される空気を暖める吸入熱交換機と、上記乾燥室の温度及び湿度を測定する温度センサーと湿度センサーの測定値を受信し、葉タバコ農産物乾燥機の作動を制御する制御信号を出力する制御部とを備えることを特徴とする。
【００１１】
上記熱交換手段は上記乾燥室内の温度を測定して温度測定値を出力する温度センサーと、上記乾燥室内の湿度を測定して湿度測定値を出力する湿度センサーと、上記温度センサーと湿度センサーの測定値を受信し、受信された各測定値を既設定された乾燥基準値と比較して判断し、上記乾燥室の温度と湿度を既設定された温度及び湿度の範囲内に保持するように上記ダンパの回転方向を調節するモーターに制御信号を出力する制御部とを含む。
【００１２】
また、上記制御部は上記乾燥室内の温度を３０〜９０℃の範囲に保持し、上記乾燥室内に入庫される葉タバコの種類及び部位別条件及び上記乾燥室内の温度と湿度及び乾燥時間によってダンパを動作するようになっている。
【００１３】
好ましくは、上記排風口内に設けられ、上記制御部の制御信号によって駆動される駆動モーターと、上記駆動モーターの駆動時に上記乾燥室内の内部空気を吸入して送風するための排出ファンをさらに備える。
【００１４】
また、好ましくは、上記回収ダクトの内部に上記制御部の制御信号によって駆動される送風モーターと、上記送風モーターの駆動時に上記回収ダクト内の空気を吸入して上記乾燥室内に送風するための送風ファンとをさらに備える。
【００１５】
上記排風熱交換機と吸入熱交換機はチューブ型熱交換機、板型熱交換機、ヒートパイプの中の何れか一つを採用する。
【００１６】
上記吸入口は上記吸入熱交換機が配置された第１吸入口と、上記第１吸入口と隔壁で区画される第２吸入口とに分けられるが、上記第１吸入口及び第２吸入口を区分する隔壁に回動可能に配置されて、上記第１吸入口及び第２吸入口の中の一つを開閉させる開閉ダンパ、及び上記開閉ダンパを回転させる回動モーターをさらに備える。
【発明の效果】
【００１７】
従来の農産物乾燥機用排風熱回収機は、温度及び湿度の調節が難しいことから葉タバコの乾燥が不可能であったが、本発明の乾燥機は乾燥室内の温度及び湿度によってダンパの回転方向を選択的に調節して乾燥室内の空気を外部に排出するか、回収ダクトを通じて熱交換した後に再び乾燥室内に循環させることにより、乾燥室内の温度及び湿度を葉タバコの種類及び収獲部位別に適する乾燥環境に簡便に調節することができるので、乾燥の環境が難しい葉タバコの乾燥作業を容易に行うことができ、また、吸入口を通じて流入される外部空気を加熱する際に用いられるエネルギーを節減することができるという有用な効果を奏する。
【００１８】
また、本発明は乾燥室内に温度センサー及び湿度センサーを配置することにより、乾燥室内の温度及び湿度を測定し、ダンパの回転方向によって乾燥室内の温度及び湿度を容易に調節することができるので、葉タバコの種類及び収獲部位別に適合する乾燥環境を簡便に保持させることができるという効果を奏する。
【００１９】
また、本発明は排風口内に設けられ、上記制御部の制御信号によって駆動される駆動モーターと、上記駆動モーターの駆動時に上記乾燥室の内部空気を吸入して送風するための排出ファンとをさらに備えることによって、乾燥室内の高温多湿空気を速かに排出させて、乾燥室内の温度及び湿度の調節を迅速で、且つ簡便に調節することができるという効果を奏する。
【００２０】
また、本発明は吸入口が隔壁を基準として独立した第１吸入口及び第２吸入口に区画され、第１吸入口及び第２吸入口の中の一つを開閉する開閉ダンパが備えられることによって、外部空気を選択的に加熱することができて、乾燥室内の温度及び湿度を簡便に調節することができるという効果を奏する。
【図面の簡単な説明】
【００２１】
【図１】本発明による葉タバコ農産物乾燥機の排風熱回収装置の一実施例を示す構成図である。
【図２】本発明の排風口と回収ダクトを示す斜視図である。
【図３】本発明のダンパの正方向回転状態を示す使用状態図ある。
【図４ａ】本発明のダンパの正方向の回転による空気流れ状態を示す使用状態図である。
【図４ｂ】本発明のダンパの逆方向の回転による空気流れ状態を示す使用状態図である。
【図５】本発明による葉タバコ農産物乾燥機の排風熱回収装置の他の実施例を示す構成図である。
【図６】本発明の回収ダクトの変形実施例を示す構成図である。
【図７】本発明の他の実施例を示す図面で、開閉ダンパの開放位置によって第１吸入口及び第２吸入口の中の一つを通じて外部空気が流入されることを示す構成図である。
【図８】本発明の他の実施例を示す図面で、開閉ダンパの開放位置によって第１吸入口及び第２吸入口の中の一つを通じて外部空気が流入されることを示す構成図である。
【図９】本発明に適用可能な板型熱交換機を示す斜視図である。
【発明を実施するための形態】
【００２２】
本発明は葉タバコの乾燥過程で乾燥室内の温度と乾燥時間によってダンパの選択的開閉動作で単純に調節することができるようにする。
【００２３】
本発明による葉タバコ農産物乾燥機１００の排風熱回収装置の一実施例は、図１〜図４によれば、葉タバコ農産物乾燥機１００の燃焼室１１０に空気を吸入するための吸入口１３０と、上記吸入口１３０を通じて流入された空気をバーナー５０またはヒーターで加熱する燃焼室１１０と、上記燃焼室１１０から移送された加熱された空気で葉タバコを乾燥する乾燥室１２０と、上記乾燥室１２０内の加熱された空気を外部に排出するダクト形態の排風口１４０と、上記排風口１４０を通じて排出される排出空気の熱を吸収して吸入口１３０側に伝達する熱交換手段とに大別される。
【００２４】
さらに詳しく説明すれば、上記熱交換手段は上記排風口１４０の側方に連通されるように設けられる回収ダクト３３０と、上記回収ダクト３３０と上記排風口１４０との間に回転軸３１５を介して軸結合されて上記回収ダクト３３０と排風口１４０との間に回転可能に設けられるダンパ３１０と、上記回転軸３１５の端部に配置されて上記回転軸３１５を正逆方向に回転させ、上記ダンパ３１０を回転させるモーター３２０と、上記排出空気の熱を回収するように上記回収ダクト３３０の内部に配置されて、内部に熱伝逹媒体が循環する排風熱交換機２２０と、上記排風熱交換機２２０と配管で連結され、上記排風熱交換機２２０から循環する上記熱伝逹媒体を通じて上記吸入口１３０に吸入される空気を暖める吸入熱交換機２１０と、排風熱交換機２２０と吸入熱交換機２１０との間に配置されて熱伝逹媒体の循環のために圧送させるポンプ２５０とで構成される。
【００２５】
図１によれば、葉タバコ乾燥機１００は内部に燃焼室１１０と乾燥室１２０とに分けられ、内部に葉タバコの乾燥のために収獲された葉タバコをかけて乾燥させるための乾燥棒１６０が複数配置される。
【００２６】
燃焼室１１０はバーナー５０の熱を乾燥室１２０の内部に流入させて乾燥室１２０内に積載された葉タバコを乾燥させるための熱源を提供する機能を果たす。
【００２７】
一方、燃焼室１１０の熱源はバーナー５０ではない電気ヒーターを採用することもできるが、最近、電力エネルギーの不足及び電気料金引き上げなどの要因を考慮した時バーナー５０を採用することが好ましい。
【００２８】
また、葉タバコ乾燥機１００は外部空気を燃焼室１１０の内部に流入させるための吸入口１３０と、葉タバコを乾燥した乾燥室１２０の高温多湿の内部空気を外部に排出する排風口１４０とを備える。
【００２９】
未説明符号「４０」は外部空気を乾燥機１００の内部に吸入させる吸入ファンを示し、「６０」は燃焼室１１０内の排気ガスを外部に排出させる排気口を示す。
【００３０】
図２及び図３によれば、排風口１４０は側方にダンパ３１０の開閉動作によって選択的に連通可能な回収ダクト３３０が設けられている。
【００３１】
回収ダクト３３０は内部に乾燥室１２０の内部空気が通過する途中に熱交換が行われるように排風熱交換機２２０が設けられている。
【００３２】
また、回収ダクト３３０は一端が排風口１４０の側方に連結され、他端が乾燥室１２０の内部に連結された構造を有する。
【００３３】
排風熱交換機２２０は回収ダクト３３０の内部にジグザグ形態に設けられ、内部に熱伝逹媒体が循環するチューブ形態で構成されるか、板型熱交換機またはヒートパイプを採用することができる。
【００３４】
熱伝逹媒体は一例として不凍液を採用することができる。
【００３５】
排風熱交換機２２０は熱伝逹媒体の循環のために一端部と他端部が吸入口１３０に設けられた吸入熱交換機２１０と連結された構造を有する。
【００３６】
ダンパ３１０は排風口１４０の側方に設けられた回転軸３１５を介して正逆方向に回転可能に軸結合され、モーター３２０の正逆回転によって排風口１４０または回収ダクト３３０を開閉させる機能を果たす。
【００３７】
モーター３２０は制御部４５０の制御信号によって正逆回転駆動される電動モーターを採用することができる。
【００３８】
また、ダンパ３１０は正方向に回転する時、図４ｂに示したように、回転軸３１５を中心に排風口１４０の排出孔１４０ａ側に回転されながら、排風口１４０を閉鎖させると同時に、回収ダクト３３０の入口を開放させて乾燥室１２０内の高温多湿空気が回収ダクト３３０側に流入されるようにする。
【００３９】
これと反対に、ダンパ３１０は逆方向に回転する時、図４ａに示したように、回転軸３１５を中心に回収ダクト３３０の入口側に回転されながら回収ダクト３３０を閉鎖させると同時に、排風口１４０の排出孔１４０ａを開放させて乾燥室１２０内の高温多湿空気を外部に排出させるようになる。
【００４０】
即ち、本発明はダンパ３１０の正逆方向への回転によって排風口１４０と回収ダクト３３０の開閉動作が選択され、排風口１４０の開放時に乾燥室１２０の高温多湿空気が外部に排出されることによって乾燥室１２０内の温度及び湿度が過度に高くなることを予防することができ、回収ダクト３３０の開放時に乾燥室１２０内の高温空気が排風熱交換機２２０を通過しながら熱交換される。
【００４１】
この時、排風熱交換機２２０は高温多湿空気と接触されることによって高温の熱が熱伝逹媒体に伝導され、ポンプ２５０の圧送力によって吸入熱交換機２１０側に熱を伝導するようになる。
【００４２】
それにより、吸入熱交換機２１０は排風熱交換機２２０を通じて圧送された熱伝逹媒体から熱を受けて吸入口１３０を通じて流入する外部空気を加熱させて乾燥機１００の内部に流入させる機能を果たす。
【００４３】
また、本発明は乾燥機１００の乾燥室１２０内の温度と湿度を温度センサー４１０と湿度センサー４２０でそれぞれ測定した後、それぞれの測定値を制御部４５０に出力し、温度測定値と湿度測定値が制御部４５０に既設定された許容範囲値を超える場合、制御部４５０はモーター３２０に制御信号を出力して、ダンパ３１０を回収ダクト３３０側に回転させて排風口１４０を開放させることで、乾燥機１００の内部温度と湿度を低減することができる。
【００４４】
これと反対に、温度測定値と湿度測定値が制御部４５０に既設定された許容範囲内にあるか、その以下である場合には、制御部４５０がモーター３２０に制御信号を出力してダンパ３１０を排風口１４０側に正方向へ回転させて、回収ダクト３３０を開放させることで、乾燥機１００の内部温度と湿度を上昇させると同時に、排風熱交換機２２０と吸入熱交換機２１０を加熱させて乾燥機１００の内部に流入される外部空気を加熱することができる。
【００４５】
この時、乾燥室１２０内の温度により葉タバコの水分は比例して変わるので、制御部４５０の既設定範囲内の温度は上記乾燥室１２０内の温度を基準として３０〜９０℃の範囲が好ましく、また上記乾燥室１２０内に入庫される葉タバコの種類及び収獲される葉タバコの部位別乾燥条件及び乾燥時間によって上記乾燥室１２０内の温度と湿度が調節されるように制御することが好ましい。これは、葉タバコの種類及び部位別乾燥に要求される温度と湿度及び時間が変わるからである。
【００４６】
それにより、本発明は乾燥室１２０内の温度及び湿度を測定し、測定された温度と湿度及び乾燥時間によって制御部４５０がダンパ３１０の開閉方向を選択すれば、ダンパ３１０が逆方向に回転されて乾燥室１２０内の高温多湿空気が排風口１４０を通じて外部に排出されるか、ダンパ３１０が正方向に回転されて乾燥室１２０内の空気が回収ダクト３３０を通じて再び乾燥室１２０内に循環する空気流れ経路を有する。
【００４７】
図５は本発明の他の実施例を示す図面として、前述した実施例の構成要素を有し、排風口１４０内に設けられ、上記制御部４５０の制御信号によって駆動されて、上記乾燥室１２０内の内部空気を吸入して送風するための排出ファン５１０をさらに備える。
【００４８】
上記排出ファン５１０は制御部４５０の制御信号によって駆動される駆動モーター５２０によって回転駆動されて、乾燥室１２０内の空気を排風口１４０側に吸入送風する機能を果たす。
【００４９】
これは、乾燥室１２０内の温度及び湿度が急激に上がる場合、乾燥室１２０内の高温多湿空気が排風口１４０を通じて速かに排出されるようにすることで、乾燥室１２０内の温度調節を許容温度内に簡便で、且つ速かに保持させることができる利点を有する。
【００５０】
図６は本発明の回収ダクトの他の変形実施例を示す図面で、回収ダクト３３０の内部に上記制御部４５０の制御信号によって駆動される送風モーター５６０と、上記送風モーター５６０の駆動時に上記回収ダクト３３０内の空気を吸入して上記乾燥室１２０内に送風するための送風ファン５５０をさらに備える。
【００５１】
制御部４５０はダンパ３１０の正方向回転及びダンパ３１０の逆方向回転を接触式センサーまたは非接触式センサーを利用してダンパ３１０の回転を感知して一定時間が経った後にも乾燥室１２０内の温度上昇が少ない場合、この温度変化を感知して分析した後送風モーター５６０を駆動させる制御信号を出力して送風ファン５５０を回転させることで、回収ダクト３３０内の空気を乾燥室１２０内に強制的に循環させることができる。
【００５２】
この場合、制御部４５０はダンパ３１０の正逆方向の開閉動作時間を演算し、湿度の割合を判断した後熱回収機能と排湿量を調節することができる。  
図７及び図８は本発明のまた他の実施例を示す構成図で、上記吸入口１３０は上記吸入熱交換機２１０が配置された第１吸入口１３０Ａと、上記第１吸入口１３０Ａと隔壁で区画される第２吸入口１３０Ｂとに分けられ、上記第１吸入口１３０Ａ及び第２吸入口１３０Ｂを区分する隔壁に回動可能に配置されて、上記第１吸入口１３０Ａと第２吸入口１３０Ｂの中の一つを開閉させる開閉ダンパ６００、及び上記開閉ダンパ６００を回転させる回動モーター６５０をさらに備える。
【００５３】
開閉ダンパ６００は回動モーター６５０の駆動力によって１８０゜回転され、それにより第１吸入口１３０Ａ及び第２吸入口１３０Ｂの中の一つを開閉させる機能を果たす。
【００５４】
即ち、普段には図８に示したように、開閉ダンパ６００を第２吸入口１３０Ｂ側の入口が閉められるようにすることで、外部空気が吸入熱交換機２１０を通じて加熱された後に乾燥室１２０内に流入されるようにする。
【００５５】
これと反対に、乾燥室１２０の温度を冷却するために、図７に示したように、開閉ダンパ６００で第１吸入口１３０Ａを閉めれば、外部空気が第２吸入口１３０Ｂを通じて流入される過程で吸入熱交換機２１０を通じないで乾燥機１００の内部に直接流入されるので、乾燥室１２０の内部温度を適正温度に速かに冷凍させることができる。
【００５６】
図９は本発明に適用可能な板型熱交換機を示す斜視図で、複数の四角板が集積された形態の板型排風熱交換機２２０が複数の空気の吸気孔１５１／排気孔１５２を有するダクト形態の排風フレーム１５０の内部に配置されて、前述したダンパが吸気孔１５１／排気孔１５２に配置されて、空気流路の流れ方向によって回収ダクト３３０に沿って乾燥室１２０の内部または吸入口１３０側に伝達される構造を有する。
【００５７】
これは、本発明の排風熱交換機２２０が、前述したように、チューブ型だけでなく、ヒートパイプ及び板型熱交換機を採用することができることを示す。
【００５８】
本発明の乾燥機は作業者が所望の温度及び時間を直接操作板を通じて操作するか、葉タバコの種類及び収獲部位などの乾燥条件を入力して予めプログラミングされた乾燥プログラムによって乾燥が行われるようにすることができる。
【００５９】
従来の農産物乾燥機は温度及び湿度の調節が難しくて葉タバコの乾燥が不可能であったが、本発明の乾燥機１００は乾燥室１２０内の温度及び湿度によってダンパ３１０の回転方向を選択的に調節して乾燥室１２０内の空気を外部に排出させるか、回収ダクト３３０を通じて熱交換させた後、再び乾燥室１２０内に循環させることにより、乾燥室１２０内の温度及び湿度を葉タバコの種類及び収獲部位別に適合する乾燥環境に簡便に調節することができ、また乾燥環境が難しい葉タバコの乾燥作業を容易に行うことができ、また吸入口１３０を通じて流入される外部空気を加熱する際に用いられるエネルギーを節減することができる有用な利点を有する。
【００６０】
また、本発明は乾燥室１２０内に温度センサー４１０及び湿度センサー４２０を配置することで、乾燥室１２０内の温度及び湿度を測定し、ダンパ３１０の回転方向によって乾燥室１２０内の温度及び湿度を容易に調節することができるので、葉タバコの種類及び収獲部位別に適合する乾燥環境を簡便に保持させることができるという利点を有する。
【００６１】
そして、本発明は排風口１４０内に設けられ、上記制御部４５０の制御信号によって駆動される駆動モーター５２０と、上記駆動モーター５２０の駆動時に上記乾燥室１２０内の内部空気を吸入して送風するための排出ファン５１０をさらに備えることで、乾燥室１２０内の高温多湿空気を速かに排出させて、乾燥室１２０内の温度及び湿度調節を迅速で、且つ簡便に調節することができるという利点を有する。
【図１】
2016532847.tif 000003
【図２】
2016532847.tif 000004
【図３】
2016532847.tif 000005
【図４ａ】
2016532847.tif 000006
【図４ｂ】
2016532847.tif 000007
【図５】
2016532847.tif 000008
【図６】
2016532847.tif 000009
【図７】
2016532847.tif 000010
【図８】
2016532847.tif 000011
【図９】
2016532847.tif 000012
【国際調査報告】
2016532847.tif 000013
2016532847.tif 000014
2016532847.tif 000015
2016532847.tif 000016